(57)【要約】【課題】天蓋が勝手に開くことを防止でき、繰り返し使用に適した凍結保存用容器、及び生体試料収容容器入り凍結保存用容器を提供する。【解決手段】凍結保存用容器１は、上方に開口する開口部１０ａと該開口部１０ａを開閉する天蓋１５とを有する箱本体１０と、箱本体１０の内部に収容されるとともに複数の収納空間Ｓが仕切られた仕切部２０とを備える。天蓋１５は、開口部１０ａを覆う第１部分１５ａと、第１部分１５ａに対して箱本体１０の正面部１１側に折り曲げられた第２部分と１５ｂを有する。第２部分１５ｂには、正面部１１に設けられた差込孔１１ａに下方から差し込み可能な差込片１５０が設けられている。【選択図】図１
2018167886.tif 000002
【特許請求の範囲】
【請求項１】
上方に開口する開口部と該開口部を開閉する天蓋とを有する箱本体と、前記箱本体の内部に収容されるとともに複数の収納空間が仕切られた仕切部と、を備える凍結保存用容器であって、
前記天蓋は、前記開口部を覆う第１部分と、該第１部分に対して前記開口部を閉じる方向に折り曲げられた第２部分とを有し、
前記開口部が前記天蓋により閉じられる状態において前記箱本体における前記第２部分と重ね合わせる部分には、差込部が設けられ、
前記第２部分には、前記差込部に下方から差し込み可能な差込片が設けられていることを特徴とする凍結保存用容器。
【請求項２】
前記開口部が前記天蓋により閉じられる状態において、前記第２部分の前記箱本体に面する側を裏側、その反対側を表側とした場合、
前記差込片は、前記第２部分に対し、該第２部分の裏側及び表側に揺動可能に設けられている請求項１に記載の凍結保存用容器。
【請求項３】
前記差込部は、孔又は切り込みである請求項１又は２に記載の凍結保存用容器。
【請求項４】
前記仕切部は、複数の板状部材を交差することで格子状に形成されている請求項１〜３のいずれか一項に記載の凍結保存用容器。
【請求項５】
前記仕切部は、底板を介して前記箱本体の内部に収容されている請求項４に記載の凍結保存用容器。
【請求項６】
前記仕切部は、２つの板状部材をそれぞれ山部と谷部を交互に形成するように折り畳んだ状態で交差してなる請求項５に記載の凍結保存用容器。
【請求項７】
前記底板は、前記２つの板状部材のそれぞれの谷部を重ねることで形成されている請求項６に記載の凍結保存用容器。
【請求項８】
前記２つの板状部材の少なくとも一方の高さは、前記箱本体の高さよりも低い請求項６又は７に記載の凍結保存用容器。
【請求項９】
請求項１〜８のいずれか一項に記載の凍結保存用容器と、
前記凍結保存用容器の前記仕切部の収納空間に収納された生体試料収容容器と、を備え、
前記生体試料収容容器は、その底部の最も幅広い部分が前記仕切部の各収納空間における前記箱本体の底部側の最大幅に配置されるように収納されていることを特徴とする生体試料収容容器入り凍結保存用容器。
【請求項１０】
前記生体試料収容容器は、生体試料を収容する容器本体と、連結部を介して前記容器本体を支持する平板状のスタンド部とを有する自立型の容器であり、
前記箱本体の前記開口部側から見たとき、前記仕切部の各収納空間はそれぞれ矩形状を呈し、
前記生体試料収容容器は、そのスタンド部の最も幅広い部分が前記仕切部の各収納空間における前記箱本体の底部側の対角線上に配置されるように収納されている請求項９に記載の生体試料収容容器入り凍結保存用容器。
【発明の詳細な説明】
【技術分野】
【０００１】
本開示の実施形態は、繰り返し使用に適した凍結保存用容器、及び生体試料収容容器入り凍結保存用容器に関する。
【背景技術】
【０００２】
近年、再生医療、細胞含有医薬及び不妊治療等の細胞医療分野において、採取した細胞などの生体試料を凍結保存する技術がますます重要視されている。生体試料の凍結保存は、一般的にバイアルなどの容器内に生体試料を収容して液体窒素中で急速凍結することにより行われている。そして、限られたスペースで複数のバイアルを効率良く凍結保存する場合、例えば下記特許文献１に開示された複数の収納空間を有する収納箱に、上述のバイアルを複数収納した状態で液体窒素の中に入れて凍結保存することが考えられる。
【先行技術文献】
【特許文献】
【０００３】
【特許文献１】特開２０１４−１２５２２４号公報
【発明の概要】
【発明が解決しようとする課題】
【０００４】
しかし、上記特許文献に記載の収納箱を凍結保存として使用した場合には、収納箱が繰り返し使用に適し難い問題があった。具体的には、上述の収納箱では、天蓋に設けられた差込片を上方から箱本体の内側に差し込むことにより箱本体の開口部を閉じる構造を採用しており、且つ該収納箱が通常の厚紙によって形成されている。このため、凍結と融解とを繰り返すと、結露などの原因で紙が変形してしまう。このような状態で天蓋の差込片を箱本体の内側に差し込んで開口部を閉じようとしても、紙の変形で差込片と箱本体との間の隙間が大きくなるので、差込片が箱本体から外れ易く、天蓋が勝手に開いてしまう問題が生じる。
【０００５】
本開示の実施形態は、上記の点に鑑みてなされたものであり、天蓋が勝手に開くことを防止でき、繰り返し使用に適した凍結保存用容器、及び生体試料収容容器入り凍結保存用容器を提供することを目的とする。
【課題を解決するための手段】
【０００６】
本開示の実施形態に係る凍結保存用容器は、上方に開口する開口部と該開口部を開閉する天蓋とを有する箱本体と、前記箱本体の内部に収容されるとともに複数の収納空間が仕切られた仕切部と、を備える凍結保存用容器であって、前記天蓋は、前記開口部を覆う第１部分と、該第１部分に対して前記開口部を閉じる方向に折り曲げられた第２部分とを有し、前記開口部が前記天蓋により閉じられる状態において前記箱本体における前記第２部分と重ね合わせる部分には、差込部が設けられ、前記第２部分には、前記差込部に下方から差し込み可能な差込片が設けられていることを特徴としている。
【０００７】
本開示の一実施形態に係る凍結保存用容器において、前記開口部が前記天蓋により閉じられる状態において、前記第２部分の前記箱本体に面する側を裏側、その反対側を表側とした場合、前記差込片は、前記第２部分に対し、該第２部分の裏側及び表側に揺動可能に設けられていることが好適である。
【０００８】
本開示の一実施形態に係る凍結保存用容器において、前記差込部は、孔又は切り込みであることが好適である。
【０００９】
本開示の一実施形態に係る凍結保存用容器において、前記仕切部は、複数の板状部材を交差することで格子状に形成されていることが好適である。
【００１０】
また、本開示の一実施形態に係る凍結保存用容器において、前記仕切部は、底板を介して前記箱本体の内部に収容されていることが好適である。
【００１１】
また、本開示の一実施形態に係る凍結保存用容器において、前記仕切部は、２つの板状部材をそれぞれ山部と谷部を交互に形成するように折り畳んだ状態で交差してなることが好適である。
【００１２】
また、本開示の一実施形態に係る凍結保存用容器において、前記底板は、前記２つの板状部材のそれぞれの谷部を重ねることで形成されていることが好適である。
【００１３】
更に、本開示の一実施形態に係る凍結保存用容器において、前記２つの板状部材の少なくとも一方の高さは、前記箱本体の高さよりも低いことが好適である。
【００１４】
本開示の実施形態に係る生体試料収容容器入り凍結保存用容器は、上述の凍結保存用容器と、前記凍結保存用容器の前記仕切部の収納空間に収納された生体試料収容容器と、を備え、前記生体試料収容容器は、その底部の最も幅広い部分が前記仕切部の各収納空間における前記箱本体の底部側の最大幅に配置されるように収納されていることを特徴としている。
【００１５】
本開示の一実施形態に係る生体試料収容容器入り凍結保存用容器において、前記生体試料収容容器は、生体試料を収容する容器本体と、連結部を介して前記容器本体を支持する平板状のスタンド部とを有する自立型の容器であり、前記箱本体の前記開口部側から見たとき、前記仕切部の各収納空間はそれぞれ矩形状を呈し、前記生体試料収容容器は、そのスタンド部の最も幅広い部分が前記仕切部の各収納空間における前記箱本体の底部側の対角線上に配置されるように収納されていることが好適である。
【発明の効果】
【００１６】
本開示によれば、天蓋が勝手に開くことを防止でき、繰り返し使用することができる。
【図面の簡単な説明】
【００１７】
【図１】第１実施形態の凍結保存用容器を示す斜視図である。
【図２】第１実施形態の凍結保存用容器を示す分解斜視図である。
【図３】（ａ）は凍結保存用容器の正面図であり、（ｂ）は凍結保存用容器の底面図である。
【図４】箱本体の展開図である。
【図５】差込片が差込孔に差し込まれる状態を示す正面図である。
【図６】自立型の生体試料収容容器を示す斜視図である。
【図７】第２実施形態の凍結保存用容器を示す分解斜視図である。
【発明を実施するための形態】
【００１８】
以下、図面を参照して本発明に係る凍結保存用容器及び生体試料収容容器入り凍結保存用容器の実施形態について説明する。図面の説明において同一の要素には同一符号を付し、その重複説明を省略する。また、以下の説明では、上下、左右、前後の方向及び位置は、凍結保存用容器の通常の使用状態、すなわち箱本体の開口部を上（天）側、箱本体の底部を下（地）側にして配置された状態を基準にする。
【００１９】
＜第１実施形態＞
図１は第１実施形態の凍結保存用容器を示す斜視図であり、図２は第１実施形態の凍結保存用容器を示す分解斜視図であり、図３（ａ）は凍結保存用容器の正面図であり、図３（ｂ）は凍結保存用容器の底面図である。本実施形態の凍結保存用容器１は、極低温（例えば液体窒素気相温度マイナス１５０℃）に耐え、且つ凍結融解（例えば極低温と室温との間で）の繰り返し使用に用いられる容器であって、上方に開口する開口部１０ａを有する直方体の箱本体１０と、該箱本体１０の内部に収容されるとともに複数の収納空間Ｓが仕切られた仕切部２０とを備えている。
【００２０】
箱本体１０は、差込孔（差込部）１１ａが設けられた正面部１１と、左側面部１２と、右側面部１３、背面部１４と、開口部１０ａを開閉する天蓋１５と、左右一対の上フラップ１６Ｌ、１６Ｒと、箱本体１０の底部をなす前後に２分割された底蓋１８Ｆ、１８Ｒ及び左右一対の下フラップ１７Ｌ、１７Ｒ（図３（ｂ）参照）とを備えている。ここで、正面部１１は、開口部１０ａが天蓋１５により閉じられる状態において、箱本体１０における天蓋１５の第２部分１５ｂ（後述する）と重ね合わせる部分である。
【００２１】
箱本体１０は、箱本体を開くと同時に底部が組み上がるワンタッチ形式の箱とされている。具体的には、この箱本体１０は、図４に示すように、一枚の厚紙を所定の形状に打ち抜いて組み立てることにより形成されている。図４に示すように、正面部１１、右側面部１３、背面部１４及び左側面部１２は連なるように形成されている。正面部１１は、それに設けられたのり代部１１ｂを介して左側面部１２と貼り付けられる。
【００２２】
天蓋１５は、略長方形を呈しており、背面部１４と連結されている。左上フラップ１６Ｌ及び右上フラップ１６Ｒは、それぞれ略台形に形成され、天蓋１５の左右側に配置されている。そして、左上フラップ１６Ｌは左側面部１２に連結され、右上フラップ１６Ｒは右側面部１３に連結されている。
【００２３】
左下フラップ１７Ｌは、略台形に形成されており、左側面部１２を挟んで左上フラップ１６Ｌとは反対側に配置されている。一方、右下フラップ１７Ｒは、略台形に形成されており、右側面部１３を挟んで右上フラップ１６Ｒとは反対側に配置されている。前底蓋１８Ｆは正面部１１に連結され、後底蓋１８Ｒは背面部１４を挟んで天蓋１５とは反対側に配置されている。
【００２４】
前底蓋１８Ｆ及び後底蓋１８Ｒの略中央位置には、外側から内側に向かって幅が狭くなる略Ｖ字状の欠損部１８０が、それぞれ設けられている。また、前底蓋１８Ｆ及び後底蓋１８Ｒは、それぞれに設けられた折り曲げ線１８１を境に接着部分１８２と非接着部分１８３に分けられている。なお、欠損部１８０は、紙を切り取ることで形成されても良く、或いは抜き取ることで形成されても良い。
【００２５】
図３（ｂ）に示すように箱本体１０が組み立てられた状態では、前底蓋１８Ｆの接着部分１８２が接着剤等で右下フラップ１７Ｒの下面に固定されるとともに、前底蓋１８Ｆの非接着部分１８３の一部が左下フラップ１７Ｌの上面に差し込まれている。一方、後底蓋１８Ｒの接着部分１８２が接着剤等で左下フラップ１７Ｌの下面に固定されるとともに、後底蓋１８Ｒの非接着部分１８３の一部が右下フラップ１７Ｒの上面に差し込まれている。これによって、箱本体１０の底部が形成される。
【００２６】
正面部１１の上部には、上述の差込孔１１ａが形成されている。差込孔１１ａは、該正面部１１の厚さを貫通するとともに、左右方向に延びている。天蓋１５は、箱本体１０の開口部１０ａを覆う第１部分１５ａと、該第１部分１５ａに対して開口部１０ａを閉じる方向（すなわち、正面部１１側）に折り曲げられた第２部分１５ｂとを有する。第２部分１５ｂには、正面部１１に設けられた差込孔１１ａに下方から差し込み可能な差込片１５０が設けられている。
【００２７】
差込片１５０は、第２部分１５ｂの所定位置に半円弧状の切り込みを入れることにより形成されている。また、この差込片１５０は、第２部分１５ｂに対し、該第２部分１５ｂの表側及び裏側に揺動可能に設けられている。ここで、第２部分１５ｂの裏側は、開口部１０ａが天蓋１５により閉じられる状態において、該第２部分１５ｂの箱本体１０に面する側を指しており、第２部分１５ｂの表側はその反対側を指す。
【００２８】
また、第２部分１５ｂには、一対の断続する切り込み線で形成された開封部１５１が、第２部分１５ｂを横断するように左右方向に延びている。開封部１５１は、差込片１５０の強度及び差込し易さを確保するために、差込片１５０を迂回するように下方に湾曲して形成されている。このため、差込片１５０の下方には、該差込片１５０と連結された略半円状の操作部１５２が形成されている。
【００２９】
図３（ａ）に示すように、未開封状態の凍結保存用容器１においては、天蓋１５の第２部分１５ｂは、開封部１５１より先端部分を接着剤等で正面部１１に貼り付けることによって、該正面部１１に固定されている。一方、開封部１５１の破断によって凍結保存用容器１が開封された後に、使用者が操作部１５２をつまんで該操作部１５２を介し差込片１５０を揺動させることにより、下方から該差込片１５０を正面部１１に設けられた差込孔１１ａに差し込むことができる。これによって、差込片１５０が差込孔１１ａと引っ掛かり、天蓋１５が正面部１１に固定されるので、箱本体１０の開口部１０ａは閉じられる（図５参照）。
【００３０】
一方、仕切部２０は、２つの板状部材（下側仕切板２１，上側仕切板２２）をそれぞれ山部と谷部を交互に形成するように折り畳んだ状態で交差してなる。具体的には、下側仕切板２１は、一枚のブランクシートを所定の形状に打ち抜いた状態で、山部２１ａと谷部２１ｂとを交互に形成するように折り畳むことで形成されている。下側仕切板２１の山部２１ａには、頂上から中腹まで延びるＶ字状の欠損部２１０が複数設けられている。後述する自立型の生体試料収容容器３０を直立した状態で収納するために、下側仕切板２１の谷部２１ｂは、平坦状になっている。なお、欠損部２１０は、ブランクシートを切り取ることで形成されても良く、或いは抜き取ることで形成されても良い。
【００３１】
上側仕切板２２は、一枚のブランクシートを所定の形状に打ち抜いた状態で、山部２２ａと谷部２２ｂとを交互に形成するように折り畳むことで形成されている。上述の下側仕切板２１とともに生体試料収容容器３０を直立した状態で収納するために、上側仕切板２２の谷部２２ｂも平坦状になっている。また、上側仕切板２２には、下側仕切板２１の山部２１ａが挿入され、且つ下側仕切板２１の欠損部２１０に挿入できるように、複数の貫通孔２２０が設けられている。そして、下側仕切板２１の形状に対応すべく、貫通孔２２０は、山部２２ａの中腹から下り谷部２２ｂを横断して更に隣接する山部２２ａの中腹まで延びている。
【００３２】
図２に示すように、下側仕切板２１と上側仕切板２２とは、折り畳み方向が直交するように交差し、更に下側仕切板２１の山部２１ａが上側仕切板２２の貫通孔２２０を挿通するとともに、上側仕切板２２の山部２２ａが下側仕切板２１の欠損部２１０に差し込むことにより、組み立てられている。これによって、生体試料収容容器３０を収納するための収納空間Ｓが複数形成される。そして、箱本体１０の開口部１０ａ側から見たときに、各収納空間Ｓはそれぞれ略矩形状を呈している。
【００３３】
以上のように構成された仕切部２０は、下側仕切板２１及び上側仕切板２２の山部２１ａ，２２ａが上側、谷部２１ｂ，２２ｂが下側に向くように、箱本体１０の内部に挿入される（図１参照）。このとき、仕切部２０は、下側仕切板２１の谷部２１ｂ及び上側仕切板２２の谷部２２ｂを重ねてなる底板２３を介し、箱本体１０の内部に収容されている。
【００３４】
仕切部２０が箱本体１０の内部に収容された状態において、下側仕切板２１及び上側仕切板２２の高さはそれぞれ箱本体１０の高さよりも低い。このようにすれば、生体試料収容容器３０を収納したり取り出したりする際に、使用者の指が仕切部２０と干渉するのを防ぐことができるので、生体試料収容容器３０の出し入れ作業をスムーズに行うことができる。なお、生体試料収容容器３０の出し入れ作業をスムーズに行うために、下側仕切板２１及び上側仕切板２２のいずれか一方の高さが箱本体１０の高さより低くなれば良い。
【００３５】
以上の構成を有する凍結保存用容器１では、少なくとも箱本体１０は防水処理、耐水処理及び撥水処理のいずれかの処理を施した紙によって形成されることが好ましい。例えば、日本製紙クレシア株式会社製の耐水紙ＴＳ、三菱製紙株式会社製のＮパールカード、日本製紙グループ製のアイベストＷ、王子マテリア株式会社製のＵＦコート等の紙が挙げられており、或いは市販された両面白板紙、レインボーカードＶなどの紙であっても良い。
【００３６】
また、箱本体１０の内部の高さとしては、収納空間Ｓに収納される生体試料収容容器３０よりも僅かに高くなるようになっている。このようにすれば、天蓋１５で箱本体１０の開口部１０ａを閉じる状態では、上下方向から該天蓋１５と底板２３とで生体試料収容容器３０を押さえることができるので、生体試料収容容器３０を固定させ、生体試料収容容器３０の揺れ防止効果を奏する。なお、箱本体１０の内部の高さとは、天蓋１５で箱本体１０の開口部１０ａを閉じる状態において底板２３から上フラップ１６Ｌ、１６Ｒまでの距離を意味する。
【００３７】
図６は自立型の生体試料収容容器を示す斜視図である。この自立型の生体試料収容容器３０は、内部に生体試料Ｗを収容する容器本体３１と、連結部３２を介して容器本体３１を支持する平板状のスタンド部３３とを備えている。容器本体３１は、略円筒状に形成され、その一端が図示しない円板状のキャップによって閉塞されており、他端がヒートシールされたヒートシール部３１ａによって密封されている。
【００３８】
連結部３２は、図示しないキャップの円周に沿って所定の間隔で複数設けられている。本実施形態において、連結部３２は１８０°の間隔で２箇所にわたり形成されている。スタンド部３３は、生体試料収容容器３０の底部を構成しており、菱形状に形成されるとともに、連結部３２を介して容器本体３１のキャップと連結されている。
【００３９】
このような生体試料収容容器３０は、例えばヒートシール部３１ａが設けられる端を開放した状態で一体成形により形成され、容器本体３１内に生体試料Ｗを充填した後に上記の開放端をヒートシールする（すなわち、ヒートシール部３１ａを形成する）ことで形成されている。
【００４０】
そして、生体試料収容容器３０は、ヒートシール部３１ａが上側、スタンド部３３が下側に向くように、箱本体１０の収納空間Ｓに収納されている。このとき、生体試料収容容器３０は、そのスタンド部３３の最も幅広い部分が各収納空間Ｓにおける箱本体１０の底部側の最大幅に配置されるように収納されることが好適である。ここで、各収納空間Ｓにおける箱本体１０の底部側の最大幅とは、各収納空間Ｓにおける箱本体１０の底面側において間隔が最も大きいことを意味しており、箱本体１０の開口部１０ａ側から見たときに、収納空間Ｓが矩形状の場合は該最大幅がその対角線であり、円形状の場合は該最大幅がその直径であり、楕円形状の場合は該最大幅が長軸の長さである。そして、本実施形態において、各収納空間Ｓがそれぞれ略矩形状を呈するので、該最大幅は矩形の対角線である。従って、生体試料収容容器３０は、そのスタンド部３３の最も幅広い部分を各収納空間Ｓにおける箱本体１０の底部側の対角線上に配置させる状態で収納されている。このようにすれば、収納空間Ｓに収納された生体試料収容容器３０の回転を制限して位置を固定できるので、耐衝撃性を更に高めることができる。加えて、生体試料収容容器３０を同じ向きに揃えることができるので、生体試料収容容器３０の出し入れをスムーズに行うことができる。
【００４１】
更に、仕切部２０の壁をなす下側仕切板２１の山部２１ａ及び上側仕切板２２の山部２２ａと、底板２３をなす下側仕切板２１の谷部２１ｂ及び上側仕切板２２の谷部２２ｂとが連結されているので、仕切部２０と底板２３との間に生体試料収容容器３０のスタンド部３３が入り込む隙間が生じ難い。このため、生体試料収容容器３０を収納空間Ｓから取り出す際に、スタンド部３３が引っ掛からずにスムーズに行うことができる。
【００４２】
なお、容器本体３１内に収容される生体試料Ｗは、生体由来のものであれば、特に限定されるものではなく、動物組織や微生物が含まれる。例えば、全血、赤血球、白血球、血漿、血小板及び多血小板血漿などの血液成分、骨骸単核細胞、造血幹細胞、ＥＳ細胞、間葉系幹細胞、精子細胞及び卵子細胞などの希少な細胞、薬剤耐性結核菌などの微生物変異体などを含む微生物、精子及び卵子などが挙げられる。
【００４３】
本実施形態の凍結保存用容器１では、天蓋１５は開口部１０ａを覆う第１部分１５ａと、該第１部分１５ａに対して箱本体１０の正面部１１側に折り曲げられた第２部分１５ｂとを有し、第２部分１５ｂには正面部１１に設けられた差込孔１１ａに下方から差し込み可能な差込片１５０が設けられている。従って、差込片１５０を下方から差込孔１１ａに差し込み、差込片１５０が差込孔１１ａと引掛ることで天蓋１５を箱本体１０の正面部１１に固定させることができる。このため、仮に凍結保存用容器１が従来と同様に通常の厚紙により形成された場合であっても、紙の変形に起因して天蓋１５が勝手に開くことを防止でき、凍結と融解とを繰り返して使用することができる。
【００４４】
加えて、少なくとも箱本体１０は防水処理、耐水処理及び撥水処理のいずれかの処理を施した紙によって形成されているので、結露等に起因する紙の変形を抑制できるので、天蓋１５が勝手に開くことを防止する効果を高めることでき、凍結と融解の繰り返し使用に適する。更に、仕切部２０は下側仕切板２１の谷部２１ｂ及び上側仕切板２２の谷部２２ｂを重ねてなる底板２３を介し箱本体１０の内部に収容されるので、箱本体１０の底部から生体試料収容容器３０等に直接触れることを防ぐことができるので、いたずら防止の効果を期待できる。
【００４５】
また、下側仕切板２１と上側仕切板２２とを交差することにより収納空間Ｓが形成されるので、上側仕切板２２の山部２２ａ及び下側仕切板２１の山部２１ａが緩衝機能を果たし、該収納空間Ｓに収納される生体試料収容容器３０の耐衝撃性を高めることができる。更に、仕切部２０は、下側仕切板２１及び上側仕切板２２をそれぞれ山部と谷部を交互に形成するように折り畳んだ状態で交差してなるので、仕切部２０の組立が容易になり、作業性の向上を図ることができる。
【００４６】
なお、本実施形態の生体試料収容容器入り凍結保存用容器は、上述の凍結保存用容器１と、該凍結保存用容器１の仕切部２０の収納空間に収納された生体試料収容容器３０とを備えるように構成されており、その詳細な構成及び作用効果は、上述した内容と同じであるので、重複説明を省略する。
【００４７】
＜第２実施形態＞
図７は第２実施形態の凍結保存用容器を示す分解斜視図である。本実施形態の凍結保存用容器２は仕切部２５及び底板２６の構成において第１実施形態と異なっている。その他の構成は第１実施形態と同様であるので、重複説明を省略する。
【００４８】
具体的には、仕切部２５は、複数の横板２７及び縦板２８を直交格子に組むことで一体的に形成されている。仕切部２５の高さは箱本体１０の高さよりも低い。底板２６は、仕切部２５とは別体に設けられ、矩形状に形成されている。そして、仕切部２５は、底板２６を介して箱本体１０の内部に収容されている。
【００４９】
本実施形態の凍結保存用容器２によれば、上述の第１実施形態と同様な作用効果を得られる。また、本実施形態の生体試料収容容器入り凍結保存用容器は、上述の凍結保存用容器２と、該凍結保存用容器１の仕切部２０の収納空間に収納された生体試料収容容器３０とを備えるように構成されており、上述の第１実施形態と同様な作用効果を得られる。
【００５０】
以上、本発明の実施形態について詳述したが、本発明は、上記の実施形態に限定されるものではなく、特許請求の範囲に記載された本発明の精神を逸脱しない範囲で、種々の設計変更を行うことができるものである。例えば、上述の実施形態では、差込部として差込孔１１ａの例を挙げて説明したが、差込部は直線状の切り込みであっても良い。また、上述の実施形態では、箱本体１０をワンタッチ形式の箱としたが、キャラメル箱、スリーブ箱、多角形箱等としても良い。
【符号の説明】
【００５１】
１，２    凍結保存用容器
１０    箱本体
１０ａ    開口部
１１    正面部
１１ａ    差込孔（差込部）
１５    天蓋
１５ａ    第１部分
１５ｂ    第２部分
２０，２５    仕切部
２１    下側仕切板
２１ａ    山部
２１ｂ    谷部
２２    上側仕切板
２２ａ    山部
２２ｂ    谷部
２３，２６    底板
３０    生体試料収容容器
３１    容器本体
３２    連結部
３３    スタンド部
１５０    差込片
１５１    開封部
１５２    操作部
Ｓ    収納空間
Ｗ    生体試料
【図１】
2018167886.tif 000003
【図２】
2018167886.tif 000004
【図３】
2018167886.tif 000005
【図４】
2018167886.tif 000006
【図５】
2018167886.tif 000007
【図６】
2018167886.tif 000008
【図７】
2018167886.tif 000009